(57)【要約】【課題】送信機側で複数のサービスを用いて映像を分割して送出することで、一つのサービスでは送出不可能な解像度の映像を送出するデジタル放送送信機を提供する。【解決手段】入力された放送映像をメインサービス及び１乃至複数のサブサービスから成るサービス数に分割する映像分割部１０１と、分割された映像を夫々エンコードするエンコード部１０２，１０３と、メインサービスの映像に提示時刻を付加し、ストリームを出力するメインサービス生成部１０４と、１乃至複数のサブサービスの映像に夫々提示時刻を付加し、ストリームを出力するサブサービス生成部１０５と、メインサービス及び１乃至複数のサブサービスの各ストリームを一つの物理チャンネルに多重化するマルチプレクサ１０６と、多重化されたストリームを変調して放送電波を生成するストリーム送出部１０７と、生成された放送電波を出力するアンテナ１０８とを備える。【選択図】図２
2011061657.tif 000002
【特許請求の範囲】
【請求項１】
放送する映像を入力とし、入力された映像をメインサービス及び１乃至複数のサブサービスから成るサービス数に分割する映像分割部と、
分割された映像を夫々エンコードするエンコード部と、
メインサービスの映像に提示時刻を付加し、メインサービスのストリームを出力するメインサービス生成部と、
１乃至複数のサブサービスの映像に夫々提示時刻を付加し、サブサービスのストリームを出力する１乃至複数のサブサービス生成部と、
メインサービス及び１乃至複数のサブサービスの各ストリームを一つの物理チャンネルに多重化するマルチプレクサと、
多重化されたストリームを変調して放送電波を生成するストリーム送出部と、
生成された放送電波を出力するアンテナとを備え、
複数のサービスに映像を分割することで一つのサービスでは送出不可能な解像度の映像を送出するように構成したことを特徴とするデジタル放送送信機。
【請求項２】
アンテナで受信された放送電波からデータパケットを抽出するチューナと、
抽出されたデータパケットをメインサービス及び１乃至複数のサブサービスに分離し、各サービスのデータパケットをオーディオ、ビデオ及び字幕データに分離するデマルチプレクサと、
分離されたサービスのストリームを夫々デコードし、映像、音声及び字幕信号を出力するデコード部と、
デコードされたメインサービスの映像データと、デコードされた１乃至複数のサブサービスの映像データを合成し、メインサービスの提示時刻に合せて出力し、音声や字幕データをメインサービスの提示時刻に合せて出力する映像合成部とを備え、
メインサービス及び１乃至複数のサブサービスの映像データを一つに合成し出力することにより、受信機側で拡大処理を行うことなく、映像の解像度を向上するように構成したことを特徴とするデジタル放送受信機。
【請求項３】
放送する映像を入力とし、入力された映像をメインサービス及び１乃至複数のサブサービスから成るサービス数に分割するステップと、
分割された映像を夫々エンコードするステップと、
メインサービスの映像に提示時刻を付加し、メインサービスのストリームを出力するステップと、
１乃至複数のサブサービスの映像に夫々提示時刻を付加し、サブサービスのストリームを出力するステップと、
メインサービス及び１乃至複数のサブサービスの各ストリームを一つの物理チャンネルに多重化するステップと、
多重化されたストリームを変調して放送電波を生成するステップと、
生成された放送電波を出力するステップとを有し、
複数のサービスに映像を分割することで一つのサービスでは送出不可能な解像度の映像を送出可能にしたことを特徴とするデジタル放送送信方法。
【請求項４】
アンテナで受信された放送電波からデータパケットを抽出するステップと、
抽出されたデータパケットをメインサービス及び１乃至複数のサブサービスに分離し、各サービスのデータパケットをオーディオ、ビデオ及び字幕データに分離するステップと、
分離されたサービスのストリームを夫々デコードし、映像、音声及び字幕信号を出力するステップと、
デコードされたメインサービスの映像データと、デコードされた１乃至複数のサブサービスの映像データを合成し、メインサービスの提示時刻に合せて出力し、音声や字幕データをメインサービスの提示時刻に合せて出力するステップとを有し、
メインサービス及び１乃至複数のサブサービスの映像データを一つに合成し出力することにより、受信側で拡大処理を行うことなく、映像の解像度向上を可能にすることを特徴とするデジタル放送受信方法。
【発明の詳細な説明】
【技術分野】
【０００１】
本発明は、一つの物理チャンネルに複数のサービスが多重化された放送波を送受信可能なデジタル放送送受信機及び送受信方法に関する。
【背景技術】
【０００２】
近年、２００６年４月１日より開始された移動体を対象とした地上デジタル放送のワンセグメント部分受信サービス「ワンセグ」が普及している。移動時でも鮮明な映像が受信可能であることから、携帯電話だけでなく、ポータブルテレビ、カーナビゲーション、ノートパソコン、携帯型ゲーム機、ＵＳＢ接続型チューナなど、その普及は多岐に渡っている。
【０００３】
ワンセグはデジタル放送のため移動受信に強い一方、映像解像度が３２０画素×２４０ラインと低い。そのためＱＶＧＡの液晶であれば鮮明に表示することができるが、カーナビやポータブル製品などに搭載されるＱＶＧＡ以上の液晶に表示する場合は、液晶の解像度に合せて拡大するため粗い画像となってしまう弱点がある。
【０００４】
従来の拡大機能では単純に液晶の解像度に合せて元の映像を引き伸ばしてしまうため、画像や文字の輪郭がぼけて表示されてしまう。
【０００５】
画像の拡大処理についてはすでに様々な手法が提案されており、高精細な画像拡大を行う手法もある。例えば、非特許文献１のように、画像を拡大後に失われた高周波成分に対して強調・推定処理を行う方法がある。（非特許文献１参照）
【先行技術文献】
【非特許文献】
【０００６】
【非特許文献１】H.Greenspan, C.H.Anderson, and S.Akber, "Image Enhancement bynonlinear extrapolation in frequency space", IEEE Trans. on Imag. Proc.,vol.9, no.6, June, 2000.
【発明の概要】
【発明が解決しようとする課題】
【０００７】
上記のように、受信機側で拡大処理により解像度を向上する方法は、粗い画像となるのを防ぐために画像補正処理や高周波成分の強調処理が必要になり、またノイズが発生しやすい。
【０００８】
以上の現状に鑑み、本発明は、送信機側で複数のサービスを用いて映像を分割して送出することで、一つのサービスでは送出不可能な解像度の映像を送出するデジタル放送送信機と、受信機側で複数のサービスに分割された映像を合成し表示することで、拡大処理を行わずに容易に映像の解像度を向上するデジタル放送受信機及び送受信方法を提供することを目的とする。
【課題を解決するための手段】
【０００９】
上記の課題を解決すべく、本発明は以下の構成を提供する。
請求項１に係る発明は、放送する映像を入力とし、入力された映像をメインサービス及び１乃至複数のサブサービスから成るサービス数に分割する映像分割部と、
分割された映像を夫々エンコードするエンコード部と、
メインサービスの映像に提示時刻を付加し、メインサービスのストリームを出力するメインサービス生成部と、
１乃至複数のサブサービスの映像に夫々提示時刻を付加し、サブサービスのストリームを出力する１乃至複数のサブサービス生成部と、
メインサービス及び１乃至複数のサブサービスの各ストリームを一つの物理チャンネルに多重化するマルチプレクサと、
多重化されたストリームを変調して放送電波を生成するストリーム送出部と、
生成された放送電波を出力するアンテナとを備え、
複数のサービスに映像を分割することで一つのサービスでは送出不可能な解像度の映像を送出するように構成したことを特徴とするデジタル放送送信機を提供するものである。
【００１０】
請求項２に係る発明は、アンテナで受信された放送電波からデータパケットを抽出するチューナと、
抽出されたデータパケットをメインサービス及び１乃至複数のサブサービスに分離し、各サービスのデータパケットをオーディオ、ビデオ及び字幕データに分離するデマルチプレクサと、
分離されたサービスのストリームを夫々デコードし、映像、音声及び字幕信号を出力するデコード部と、
デコードされたメインサービスの映像データと、デコードされた１乃至複数のサブサービスの映像データを合成し、メインサービスの提示時刻に合せて出力し、音声や字幕データをメインサービスの提示時刻に合せて出力する映像合成部とを備え、
メインサービス及び１乃至複数のサブサービスの映像データを一つに合成し出力することにより、受信機側で拡大処理を行うことなく、映像の解像度を向上するように構成したことを特徴とするデジタル放送受信機を提供するものである。
【００１１】
請求項３に係る発明は、放送する映像を入力とし、入力された映像をメインサービス及び１乃至複数のサブサービスから成るサービス数に分割するステップと、
分割された映像を夫々エンコードするステップと、
メインサービスの映像に提示時刻を付加し、メインサービスのストリームを出力するステップと、
１乃至複数のサブサービスの映像に夫々提示時刻を付加し、サブサービスのストリームを出力するステップと、
メインサービス及び１乃至複数のサブサービスの各ストリームを一つの物理チャンネルに多重化するステップと、
多重化されたストリームを変調して放送電波を生成するステップと、
生成された放送電波を出力するステップとを有し、
複数のサービスに映像を分割することで一つのサービスでは送出不可能な解像度の映像を送出可能にしたことを特徴とするデジタル放送送信方法を提供するものである。
【００１２】
請求項４に係る発明は、アンテナで受信された放送電波からデータパケットを抽出するステップと、
抽出されたデータパケットをメインサービス及び１乃至複数のサブサービスに分離し、各サービスのデータパケットをオーディオ、ビデオ及び字幕データに分離するステップと、
分離されたサービスのストリームを夫々デコードし、映像、音声及び字幕信号を出力するステップと、
デコードされたメインサービスの映像データと、デコードされた１乃至複数のサブサービスの映像データを合成し、メインサービスの提示時刻に合せて出力し、音声や字幕データをメインサービスの提示時刻に合せて出力するステップとを有し、
メインサービス及び１乃至複数のサブサービスの映像データを一つに合成し出力することにより、受信側で拡大処理を行うことなく、映像の解像度向上を可能にすることを特徴とするデジタル放送受信方法を提供するものである。
【発明の効果】
【００１３】
本発明によれば、複数のサービスに分割して映像を送出することで一つのサービスでは送出不可能な解像度の映像を送出することができ、受信機側で拡大処理を行わずに容易に映像の解像度を向上することが可能となる。
【図面の簡単な説明】
【００１４】
【図１】本発明の放送する映像をサービス数Ｎで分割した場合の説明図である。
【図２】本発明のデジタル放送送信機のシステム構成図である。
【図３】本発明のデジタル放送受信機のシステム構成図である。
【図４】本発明のデジタル放送受信機に於いて、メインサービスとサブサービスを合成し、映像の解像度を向上する処理のフローである。
【発明を実施するための形態】
【００１５】
以下、実施例を示した図面を参照しつつ本発明の実施の形態を説明する。
【実施例１】
【００１６】
図１は、放送する映像をサービス数Ｎで分割した場合の説明図である。放送する映像の解像度をＲｘ画素×Ｒｙラインとした場合、サービス数Ｎで分割した映像は以下の通りとなる。長方形の座標を（（Ｘ１，Ｙ１），（Ｘ２，Ｙ２））で表す。ここで（Ｘ１，Ｙ１）、（Ｘ２，Ｙ２）は対角線上の角を指す。
映像１：（（０，０），（Ｒｘ／Ｎ, Ｒｙ−１））
映像２：（（Ｒｘ／Ｎ，０），（２Ｒｘ／Ｎ, Ｒｙ−１））
・
・
・
映像Ｎ：（（（Ｎ−１）Ｒｘ／Ｎ，０），（Ｒｘ, Ｒｙ−１））
【００１７】
以下、図２、図３、図４を用いて本発明の送受信の流れを説明する。
図２は、本発明を実現するデジタル放送送信機の構成例である。デジタル放送送信機１０は、映像分割部１０１、エンコード部（１）１０２、エンコード部（２）１０３、メインサービス生成部１０４、サブサービス生成部１０５、マルチプレクサ１０６、ストリーム送出部１０７及びアンテナ１０８を備えている。なおエンコード部はサービス数だけ持つことを可能とする。また、サブサービス生成部もサブサービス数だけ持つことを可能とする。
【００１８】
本デジタル放送送信機１０は放送する映像を入力とし、映像分割部１０１が入力された映像をサービス数に分割する。ここでサービス数が２とした場合、分割した映像をそれぞれ映像１、映像２とする。映像１をエンコード部（１）１０２で、映像２をエンコード部（２）１０３でそれぞれエンコードする。エンコード部（１）でエンコードした映像１を映像１’、エンコード部（２）でエンコードした映像２を映像２’とする。
【００１９】
メインサービス生成部１０４にて映像１’に提示時刻（ＰＴＳ）を付加し、メインサービスのストリームを出力する。サブサービス生成部１０５にて映像２’に提示時刻（ＰＴＳ）を付加してサブサービスのストリームを出力する。このときサブサービスに付加する提示時刻（ＰＴＳ）はメインサービスと同様の時刻で良い。
【００２０】
マルチプレクサ１０６は、メインサービス及びサブサービスの各ストリームを一つの物理チャンネルに多重化する。ストリーム送出部１０７は、マルチプレクサ１０６によって多重化されたストリームを変調して放送電波を生成する。生成された放送電波はアンテナ１０８から出力される。
【００２１】
図３は、本発明を実現するデジタル放送受信機の構成例である。デジタル放送受信機２０は、アンテナ２０１、チューナ２０２、デマルチプレクサ２０３、デコード部（１）２０４、デコード部（２）２０５及び映像合成部２０６を備えている。なおデコード部はサービス数だけ持つことを可能とする。
【００２２】
図４は、デジタル放送受信機２０に於いて、メインサービスとサブサービスを合成し、映像の解像度を向上する処理のフローである。
【００２３】
デジタル放送送信機１０により送出されているサービス数が２とすると、メインサービスに映像１’、サブサービスに映像２’が出力されている。
チューナ２０２は、アンテナ２０１で受信された放送電波からデータパケットを抽出する（ステップ３０１）。デマルチプレクサ２０３は、チューナ２０２で抽出されたデータパケットをメインサービス及びサブサービスに分離する（ステップ３０２）。
また各サービスのデータパケットをオーディオ、ビデオ及び字幕データに分離する（ステップ３０４，３０６）。
【００２４】
デコード部（１）２０４は、デマルチプレクサ２０３で分離されたメインサービスのストリームをデコードし（ステップ３０５）、映像、音声及び字幕信号を出力する。デコード部（２）２０５は、デマルチプレクサ２０３で分離されたサブサービスのストリームをデコードし（ステップ３０７）、映像、音声及び字幕データを出力する。
【００２５】
映像合成部２０６は、デコード部（１）２０４でデコードしたメインサービスの映像データと、デコード部（２）２０５でデコードしたサブサービスの映像データを合成し、メインサービスの提示時刻（ＰＴＳ）に合せて出力する（ステップ３０９）。音声や字幕データはメインサービスの提示時刻（ＰＴＳ）に合せて出力する（ステップ３１０）。
【００２６】
以上の方法によると、デジタル放送送信機１０側で複数のサービスを用いて映像を分割して送出することで、一つのサービスでは送出不可能な解像度の映像を送出し、デジタル放送受信機２０側で複数のサービスに分割された映像を合成し表示することで、拡大処理を行わずに容易に映像の解像度を向上することが可能となる。
【符号の説明】
【００２７】
１０  デジタル放送送信機
２０  デジタル放送受信機
１０１  映像分割部
１０２，１０３  エンコード部
１０４  メインサービス生成部
１０５  サブサービス生成部
１０６  マルチプレクサ
１０７  ストリーム送出部
１０８，２０１  アンテナ
２０２  チューナ
２０３  デマルチプレクサ
２０４，２０５  デコード部
２０６  映像合成部
【図１】
2011061657.tif 000003
【図２】
2011061657.tif 000004
【図３】
2011061657.tif 000005
【図４】
2011061657.tif 000006